(57)【特許請求の範囲】
【請求項１】
電力供給側の都合により電力供給を停止することがあるピークカット電源からの電力により水を加熱する加熱部(１１)を有する沸き上げ部(１)と、
上記沸き上げ部(１)により加熱された温水を貯える貯湯部(２)と、
上記ピークカット電源とは別の商用電源から電力が供給され、上記貯湯部(２)に貯えられた上記温水を熱源として、室内側の暖房または給湯の少なくとも一方に利用する室内側利用部(３)と
を備え、
上記ピークカット電源からの電力供給が停止して上記沸き上げ部(１)が停止しても、上記室内側利用部(３)は、上記商用電源からの電力により動作すると共に、
上記沸き上げ部(１)は、上記加熱部(１１)を制御する沸き上げ制御部(１２)を有し、
上記室内側利用部(３)は、上記沸き上げ部(１)の上記沸き上げ制御部(１２)と互いに通信すると共に、上記室内側利用部(３)の動作を制御する室内側制御部(３３)と、上記沸き上げ制御部(１２)と上記室内側制御部(３３)との間の通信異常を検出する通信異常検出部(３５)を有し、
上記通信異常検出部(３５)が上記沸き上げ制御部(１２)と上記室内側制御部(３３)との間の通信異常を検出したとき、上記室内側制御部(３３)は、上記沸き上げ部(１)が停止状態であるものとして上記室内側利用部(３)の運転を継続することを特徴とする貯湯式熱源装置。
【請求項２】
請求項１に記載の貯湯式熱源装置において、
上記室内側利用部(３)は、暖房器に温水を供給するための暖房用アクチュエータ(３１)または給湯機に温水を供給するための給湯用アクチュエータ(３２)の少なくとも一方を有することを特徴とする貯湯式熱源装置。
【請求項３】
請求項１または２に記載の貯湯式熱源装置において、
上記沸き上げ部(１)の上記加熱部(１１)は、ヒートポンプユニットを有することを特徴とする貯湯式熱源装置。
【請求項４】
請求項１から３までのいずれか１つに記載の貯湯式熱源装置において、
上記沸き上げ部(１)の上記加熱部(１１)は、電熱ヒータを有することを特徴とする貯湯式熱源装置。
【請求項５】
請求項１から４までのいずれか１つに記載の貯湯式熱源装置において、
上記沸き上げ部(１)の上記加熱部(１１)とは別に、上記商用電源により駆動され、上記貯湯部(２)内の水を加熱する電熱ヒータ(２０３)を備えたことを特徴とする貯湯式熱源装置。
【請求項６】
請求項５に記載の貯湯式熱源装置において、
上記室内側利用部(３)は、上記ピークカット電源からの電力供給が停止したときに上記電熱ヒータ(２０３)による加熱を行うか否かを設定する電熱ヒータ設定部(３３b)を有することを特徴とする貯湯式熱源装置。
【請求項７】
請求項１から６までのいずれか１つに記載の貯湯式熱源装置において、
上記ピークカット電源からの電力供給が停止したか否かを検出するピークカット電源供給検出部(３７)を備え、
上記室内側制御部(３３)は、上記ピークカット電源供給検出部(３７)が上記ピークカット電源からの電力供給が停止したことを検出したとき、上記沸き上げ部(１)が停止状態であるものとして上記室内側利用部(３)の運転を継続することを特徴とする貯湯式熱源装置。
【請求項８】
請求項７に記載の貯湯式熱源装置において、
上記室内側利用部(３)が上記商用電源から電力が供給されて動作を開始したとき、上記ピークカット電源供給検出部(３７)が上記ピークカット電源からの電力供給が停止していることを検出すると、上記室内側制御部(３３)は、上記室内側利用部(３)の運転を行い、
次に上記室内側利用部(３)の運転中に、上記ピークカット電源供給検出部(３７)が上記ピークカット電源からの電力が供給中になったことを検出したとき、上記室内側制御部(３３)は、上記沸き上げ制御部(１２)と通信を行って上記沸き上げ制御部(１２)と協調して上記室内側利用部(３)の運転を行うことを特徴とする貯湯式熱源装置。
【請求項９】
請求項７に記載の貯湯式熱源装置において、
上記室内側制御部(３３)は、上記ピークカット電源供給検出部(３７)が上記ピークカット電源からの電力が供給中であることを検出し、かつ、上記通信異常検出部(３５)が上記沸き上げ制御部(１２)と上記室内側制御部(３３)との間の通信異常を検出したとき、通信異常と判断することを特徴とする貯湯式熱源装置。
【請求項１０】
請求項７から９までのいずれか１つに記載の貯湯式熱源装置において、
上記室内側利用部(３)は、
上記沸き上げ制御部(１２)と上記室内側制御部(３３)との間が通信異常であることを表示する通信異常表示部(３６)と、
上記ピークカット電源供給検出部(３７)により検出された上記ピークカット電源からの電力供給の状況を表示するピークカット電源状況表示部(３６)と
を有し、
上記ピークカット電源供給検出部(３７)が上記ピークカット電源からの電力供給が停止したことを検出し、かつ、上記通信異常検出部(３５)が上記沸き上げ制御部(１２)と上記室内側制御部(３３)との間の通信異常を検出したとき、上記通信異常表示部(３６)は、上記通信異常表示部(３６)に通信異常を表示しないことを特徴とする貯湯式熱源装置。
【請求項１１】
請求項７から１０のいずれか１つに記載の貯湯式熱源装置において、
上記ピークカット電源からの電力供給が停止したとき、上記ピークカット電源から電力供給線にピークカット中であることを表す信号が出力され、
上記ピークカット電源供給検出部(３７)は、上記ピークカット電源から電力供給線に出力されたピークカット中であることを表す信号を受けて、上記ピークカット電源からの電力供給が停止したことを検出することを特徴とする貯湯式熱源装置。
【請求項１２】
請求項７から１１までのいずれか１つに記載の貯湯式熱源装置において、
上記貯湯部(２)に貯えられた上記温水を上記沸き上げ部(１)を介して循環させる循環ポンプ(２０４)を備え、
上記室内側制御部(３３)は、上記ピークカット電源供給検出部(３７)により上記ピークカット電源からの電力供給が停止したことが検出されたピークカット中に、上記商用電源からの電力により上記循環ポンプ(２０４)を駆動させて、上記貯湯部(２)に貯えられた上記温水を上記沸き上げ部(１)を介して循環させることを特徴とする貯湯式熱源装置。
【請求項１３】
請求項１２に記載の貯湯式熱源装置において、
上記室内側制御部(３３)は、上記ピークカット電源供給検出部(３７)により上記ピークカット電源からの電力供給が停止したことが検出されたピークカット中に、上記循環ポンプ(２０４)を断続的に運転することを特徴とする貯湯式熱源装置。
【請求項１４】
請求項１から１３までのいずれか１つに記載の貯湯式熱源装置において、
上記室内側利用部(３)は、
上記貯湯部(２)に貯えられた上記温水を熱源として、室内側の暖房および給湯に利用し、
上記室内側の暖房と上記室内側の給湯に対して優先順位を設定する優先順位設定部(３３a)を有し、
上記ピークカット電源からの電力供給が停止することにより上記沸き上げ部(１)が停止して、上記室内側利用部(３)が上記商用電源からの電力により動作するときに、上記優先順位設定部(３３a)により設定された上記優先順位に基づいて、上記室内側の暖房または上記室内側の給湯の一方の運転を優先して行うことを特徴とする貯湯式熱源装置。
【発明の詳細な説明】
【技術分野】
【０００１】
この発明は、貯湯式熱源装置に関する。
【背景技術】
【０００２】
従来、貯湯式熱源装置としては、貯湯タンクと、上記貯湯タンクの水を加熱するヒートポンプとを備え、貯湯タンク内の温水を放熱器を介して循環させて暖房したり、貯湯タンク内の温水を給湯に用いたりする貯湯式暖房給湯機がある(例えば、特開２００６−３２９５８１号公報(特許文献１)参照)。
【０００３】
ところで、ヨーロッパでは、電力負荷低減や電力料金低減の観点から、このような貯湯式暖房給湯機にピークカット電源から電力が供給される場合がある。このピークカット電源は、電力会社側の都合により電力供給を停止するもので、ピークカット電源からの電力供給が停止したとき、システム全体が停止するため、暖房や給湯ができないという問題がある。
【０００４】
このような問題を解決するため、別にバッファタンクを備えて温水を貯えることにより、暖房や給湯を継続可能にしたものがあるが、構造が複雑になって大型化するため、設置場所が制約されたり、コストが高くなったりする。
【特許文献１】特開２００６−３２９５８１号公報
【発明の開示】
【発明が解決しようとする課題】
【０００５】
そこで、この発明の課題は、電力供給側の都合によりピークカット電源からの電力供給が停止しても、簡単な構成で貯湯部に貯えられた温水を熱源として利用することにより暖房運転や給湯運転を継続できる貯湯式熱源装置を提供することにある。
【課題を解決するための手段】
【０００６】
上記課題を解決するため、この発明の貯湯式熱源装置は、
電力供給側の都合により電力供給を停止することがあるピークカット電源からの電力により水を加熱する加熱部を有する沸き上げ部と、
上記沸き上げ部により加熱された温水を貯える貯湯部と、
上記ピークカット電源とは別の商用電源から電力が供給され、上記貯湯部に貯えられた上記温水を熱源として、室内側の暖房または給湯の少なくとも一方に利用する室内側利用部と
を備え、
上記ピークカット電源からの電力供給が停止して上記沸き上げ部が停止しても、上記室内側利用部は、上記商用電源からの電力により動作すると共に、
上記沸き上げ部は、上記加熱部を制御する沸き上げ制御部を有し、
上記室内側利用部は、上記沸き上げ部の上記沸き上げ制御部と互いに通信すると共に、上記室内側利用部の動作を制御する室内側制御部と、上記沸き上げ制御部と上記室内側制御部との間の通信異常を検出する通信異常検出部を有し、
上記通信異常検出部が上記沸き上げ制御部と上記室内側制御部との間の通信異常を検出したとき、上記室内側制御部は、上記沸き上げ部が停止状態であるものとして上記室内側利用部の運転を継続することを特徴とする。
【０００７】
上記構成によれば、電力供給側の都合によりピークカット電源からの電力供給が停止して沸き上げ部が停止しても、室内側利用部が商用電源からの電力により動作することによって、貯湯部に貯えられた温水を熱源として室内側の暖房または給湯の少なくとも一方に利用する運転を継続できる。これにより、電力供給側の事情に左右されることなく、少なくとも貯湯部に貯えられた熱源を最大限に利用することにより暖房運転や給湯運転が可能となり、快適性が向上する。
また、上記通信異常検出部が沸き上げ制御部と室内側制御部との間の通信異常を検出したとき、室内側制御部は、沸き上げ部が停止状態であるものとして室内側利用部の運転を継続する。そうして、上記沸き上げ制御部と室内側制御部との間の通信異常が回復するまでは、ピークカット電源からの電力供給が停止しているものと判断して、沸き上げ部が停止状態で貯湯部の温水を沸き上げることなしに、貯湯部に貯えられた温水を熱源として暖房運転や給湯運転を行う。このように、上記通信異常検出部による沸き上げ制御部と室内側制御部との間の通信異常検出を、ピークカット電源からの電力供給の停止検出に利用することにより、ピークカット電源の供給停止を検出する手段を別に設ける必要がなく、コストを低減できる。
【０００８】
また、一実施形態の貯湯式熱源装置では、上記室内側利用部は、暖房器に温水を供給するための暖房用アクチュエータまたは給湯機に温水を供給するための給湯用アクチュエータの少なくとも一方を有する。
【０００９】
上記実施形態によれば、上記室内側利用部に備えた暖房用アクチュエータ(例えば暖房用循環ポンプや暖房器に供給される温水の温度を制御する混合弁)を制御して、貯湯部の熱源を利用した暖房動作を容易に制御できる。または、上記室内側利用部に備えた給湯用アクチュエータ(例えば給湯温度を制御する混合弁)を制御して、貯湯部の熱源を利用した給湯動作を容易に制御できる。
【００１０】
また、一実施形態の貯湯式熱源装置では、上記沸き上げ部の上記加熱部は、ヒートポンプユニットを有する。
【００１１】
上記実施形態によれば、上記沸き上げ部の上記加熱部に効率のよいヒートポンプユニットを用いることによって、消費電力を低減できる。
【００１２】
また、一実施形態の貯湯式熱源装置では、上記沸き上げ部の上記加熱部は、電熱ヒータを有する。
【００１３】
上記実施形態によれば、加熱部に電熱ヒータを用いることによって、投入電力により加熱能力を的確に制御できる。また、例えばヒートポンプユニットと電熱ヒータを併用して、電熱ヒータを補助として用いることによって、外気が低温のためにヒートポンプユニットの能力が十分に発揮できないときに加熱能力を上げたり、加熱部による沸き上げ温度を高くしたりできる。
【００１４】
また、一実施形態の貯湯式熱源装置では、上記沸き上げ部の上記加熱部とは別に、上記商用電源により駆動され、上記貯湯部内の水を加熱する電熱ヒータを備えた。
【００１５】
上記実施形態によれば、上記沸き上げ部の加熱部とは別に備えられた電熱ヒータを、商用電源により駆動して水を加熱することにより、電力供給側の都合によりピークカット電源からの電力供給が停止しても、暖房運転や給湯運転をより長く継続できる。
【００１６】
また、一実施形態の貯湯式熱源装置では、上記室内側利用部は、上記ピークカット電源からの電力供給が停止したときに上記電熱ヒータによる加熱を行うか否かを設定する電熱ヒータ設定部を有する。
【００１７】
上記実施形態によれば、ピークカット電源からの電力供給が停止したしたときに電熱ヒータ設定部の設定に基づいて電熱ヒータの加熱制御を行う。これにより、ユーザーの選択肢が増えて、使い勝手がよくなる。
【００１８】
【００１９】
【００２０】
また、一実施形態の貯湯式熱源装置では、
上記ピークカット電源からの電力供給が停止したか否かを検出するピークカット電源供給検出部を備え、
上記室内側制御部は、上記ピークカット電源供給検出部が上記ピークカット電源からの電力供給が停止したことを検出したとき、上記沸き上げ部が停止状態であるものとして上記室内側利用部の運転を継続する。
【００２１】
上記実施形態によれば、上記ピークカット電源供給検出部がピークカット電源からの電力供給が停止したことを検出したとき、上記室内側制御部は、沸き上げ部が停止状態であるものとして室内側利用部の運転を継続することによって、ピークカット電源の供給停止を確実に検出して、室内側利用部のみの運転モードに移行することができる。
【００２２】
また、一実施形態の貯湯式熱源装置では、
上記室内側利用部が上記商用電源から電力が供給されて動作を開始したとき、上記ピークカット電源供給検出部が上記ピークカット電源からの電力供給が停止していることを検出すると、上記室内側制御部は、上記室内側利用部の運転を行い、
次に上記室内側利用部の運転中に、上記ピークカット電源供給検出部が上記ピークカット電源からの電力が供給中になったことを検出したとき、上記室内側制御部は、上記沸き上げ制御部と通信を行って上記沸き上げ制御部と協調して上記室内側利用部の運転を行う。
【００２３】
上記実施形態によれば、上記室内側利用部が商用電源から電力が供給されて動作を開始したとき、ピークカット電源供給検出部がピークカット電源からの電力供給が停止していることを検出すると、室内側制御部は、沸き上げ部との協調なしに室内側利用部の運転を行う。次に室内側利用部の運転中に、ピークカット電源供給検出部がピークカット電源からの電力が供給中になったことを検出したとき、室内側制御部は、沸き上げ制御部と通信を行って沸き上げ制御部と協調して室内側利用部の運転を行う。これにより、上記室内側利用部の電源投入時にピークカット電源からの電力供給が停止しているとき、室内側制御部は、室内側利用部の運転を開始して、その後にピークカット電源からの電力が供給されたら、室内側利用部は、沸き上げ制御部と通信を行って、沸き上げ制御部側の状態に応じた運転を行うことができる。
【００２４】
また、一実施形態の貯湯式熱源装置では、上記室内側制御部は、上記ピークカット電源供給検出部が上記ピークカット電源からの電力が供給中であることを検出し、かつ、上記通信異常検出部が上記沸き上げ制御部と上記室内側制御部との間の通信異常を検出したとき、通信異常と判断する。
【００２５】
上記実施形態によれば、上記ピークカット電源供給検出部がピークカット電源からの電力が供給中であることを検出し、かつ、通信異常検出部が沸き上げ制御部と室内側制御部との間の通信異常を検出したとき、室内側制御部が通信異常と判断することによって、ピークカット電源からの電力供給が停止しているときは通信異常と判断しないので、通信異常の判断を確実に行うことができる。
【００２６】
また、一実施形態の貯湯式熱源装置では、
上記室内側利用部は、
上記沸き上げ制御部と上記室内側制御部との間が通信異常であることを表示する通信異常表示部と、
上記ピークカット電源供給検出部により検出された上記ピークカット電源からの電力供給の状況を表示するピークカット電源状況表示部と
を有し、
上記ピークカット電源供給検出部が上記ピークカット電源からの電力供給が停止したことを検出し、かつ、上記通信異常検出部が上記沸き上げ制御部と上記室内側制御部との間の通信異常を検出したとき、上記通信異常表示部は、上記通信異常表示部に通信異常を表示しない。
【００２７】
上記実施形態によれば、上記ピークカット電源状況表示部により、ピークカット電源供給検出部により検出されたピークカット電源からの電力供給の状況を表示することによって、ユーザーは、ピークカット電源からの電力供給の状況を容易に把握できる。また、上記ピークカット電源供給検出部がピークカット電源からの電力供給が停止したことを検出し、かつ、通信異常検出部が沸き上げ制御部と室内側制御部との間の通信異常を検出したときは、通信異常表示部に通信異常を表示しない。これにより、ピークカット電源からの電力供給が停止しているときに、ユーザーが誤って通信異常と認識することがない。
【００２８】
また、一実施形態の貯湯式熱源装置では、
上記ピークカット電源からの電力供給が停止したとき、上記ピークカット電源から電力供給線にピークカット中であることを表す信号が出力され、
上記ピークカット電源供給検出部は、上記ピークカット電源から電力供給線に出力されたピークカット中であることを表す信号を受けて、上記ピークカット電源からの電力供給が停止したことを検出する。
【００２９】
上記実施形態によれば、上記ピークカット電源から電力供給線に出力されたピークカット中であることを表す信号を受けて、ピークカット電源供給検出部がピークカット電源からの電力供給が停止したことを検出することによって、ピークカット電源からの電圧を監視する回路を別に設ける必要がなく、簡単な構成でピークカット電源の供給停止を検出できる。
【００３０】
また、一実施形態の貯湯式熱源装置では、
上記貯湯部に貯えられた上記温水を上記沸き上げ部を介して循環させる循環ポンプを備え、
上記室内側制御部は、上記ピークカット電源供給検出部により上記ピークカット電源からの電力供給が停止したことが検出されたピークカット中に、上記商用電源からの電力により上記循環ポンプを駆動させて、上記貯湯部に貯えられた上記温水を上記沸き上げ部を介して循環させる。
【００３１】
上記実施形態によれば、上記ピークカット電源供給検出部によりピークカット電源からの電力供給が停止したことが検出されたピークカット中に、室内側制御部は、商用電源からの電力により循環ポンプを駆動させて、貯湯部に貯えられた温水を沸き上げ部を介して循環させることによって、外気温度が氷点下であっても、貯湯部と沸き上げ部との間の循環経路の凍結を防止できる。
【００３２】
また、一実施形態の貯湯式熱源装置では、
上記室内側制御部は、上記ピークカット電源供給検出部により上記ピークカット電源からの電力供給が停止したことが検出されたピークカット中に、上記循環ポンプを断続的に運転する。
【００３３】
上記実施形態によれば、上記ピークカット電源供給検出部によりピークカット電源からの電力供給が停止したことが検出されたピークカット中に、室内側制御部により循環ポンプを断続的に運転することによって、貯湯部と沸き上げ部との間の循環経路の凍結を防止しつつ、温水が低温の外気温度によって冷却されるのを極力防止することができ、かつ、電力消費も少なくすることができる。
【００３４】
また、一実施形態の貯湯式熱源装置では、
上記室内側利用部は、
上記貯湯部に貯えられた上記温水を熱源として、室内側の暖房および給湯に利用し、
上記室内側の暖房と上記室内側の給湯に対して優先順位を設定する優先順位設定部を有し、
上記ピークカット電源からの電力供給が停止することにより上記沸き上げ部が停止して、上記室内側利用部が上記商用電源からの電力により動作するときに、上記優先順位設定部により設定された上記優先順位に基づいて、上記室内側の暖房または上記室内側の給湯の一方の運転を優先して行う。
【００３５】
上記実施形態によれば、上記ピークカット電源からの電力供給が停止することにより沸き上げ部が停止して、室内側利用部が商用電源からの電力により動作するときに、優先順位設定部により設定された優先順位に基づいて、室内側の暖房または室内側の給湯の一方の運転を優先して行う。これにより、ユーザーが希望する運転を優先して行うことができ、利便性が向上する。
【発明の効果】
【００３６】
以上より明らかなように、この発明の貯湯式熱源装置によれば、電力供給側の都合によりピークカット電源からの電力供給が停止しても、簡単な構成で貯湯部に貯えられた温水を熱源として利用することにより暖房運転や給湯運転を継続できる貯湯式熱源装置を実現することができる。また、通信異常検出部による沸き上げ制御部と室内側制御部との間の通信異常検出を、ピークカット電源からの電力供給の停止検出に利用することにより、ピークカット電源の供給停止を検出する手段を別に設ける必要がなく、コストを低減することができる。
【００３７】
また、一実施形態の貯湯式熱源装置によれば、室内側利用部に暖房用アクチュエータ(例えば暖房用循環ポンプや暖房器に供給される温水の温度を制御する混合弁)を備えることによって、貯湯部の熱源を利用した暖房動作を容易に制御できる。または、上記室内側利用部に給湯用アクチュエータ(例えば給湯温度を制御する混合弁)を備えることによって、貯湯部の熱源を利用した給湯動作を容易に制御できる。
【００３８】
また、一実施形態の貯湯式熱源装置によれば、沸き上げ部の加熱部に効率のよいヒートポンプユニットを用いることによって、低消費電力化が図れる。
【００３９】
また、一実施形態の貯湯式熱源装置によれば、加熱部に電熱ヒータを用いることによって、投入電力により加熱能力を的確に制御できると共に、例えばヒートポンプユニットと電熱ヒータを併用して、電熱ヒータを補助として用いることによって、外気が低温のためにヒートポンプユニットの能力が十分に発揮できないときに加熱能力を上げたり、加熱部による沸き上げ温度を高くしたりできる。
【００４０】
また、一実施形態の貯湯式熱源装置によれば、沸き上げ部の加熱部とは別に電熱ヒータを備えて、その電熱ヒータを商用電源により駆動して水を加熱することにより、電力供給側の都合によりピークカット電源からの電力供給が停止しても、暖房運転や給湯運転をより長く継続することができる。
【００４１】
また、一実施形態の貯湯式熱源装置によれば、ピークカット電源からの電力供給が停止したしたときに電熱ヒータ設定部の設定に基づいて電熱ヒータの加熱制御を行う。これにより、ユーザーの選択肢が増えて、使い勝手がよくなる。
【００４２】
また、一実施形態の貯湯式熱源装置によれば、ピークカット電源供給検出部がピークカット電源からの電力供給が停止したことを検出したとき、室内側制御部は、沸き上げ部が停止状態であるものとして室内側利用部の運転を継続することによって、ピークカット電源の供給停止を確実に検出して、室内側利用部のみの運転モードに移行することができる。
【００４３】
また、一実施形態の貯湯式熱源装置によれば、室内側利用部の電源投入時にピークカット電源からの電力供給が停止しているとき、室内側制御部は、室内側利用部のみの運転を開始して、その後にピークカット電源からの電力が供給されたら、室内側利用部は、沸き上げ制御部と通信を行って、沸き上げ部と協調して運転を行うことができる。
【００４４】
また、一実施形態の貯湯式熱源装置によれば、ピークカット電源供給検出部がピークカット電源から電力が供給中であることを検出し、かつ、通信異常検出部が沸き上げ制御部と室内側制御部との間の通信異常を検出したとき、室内側制御部が通信異常と判断することによって、ピークカット電源からの電力供給が停止しているときは通信異常と判断しないので、通信異常の判断を確実に行うことができる。
【００４５】
また、一実施形態の貯湯式熱源装置によれば、ピークカット電源状況表示部により、ピークカット電源供給検出部により検出されたピークカット電源からの電力供給の状況を表示することによって、ユーザーは、ピークカット電源からの電力供給の状況を容易に把握できる。また、上記ピークカット電源供給検出部がピークカット電源からの電力供給が停止したことを検出し、かつ、通信異常検出部が沸き上げ制御部と室内側制御部との間の通信異常を検出したときは、通信異常表示部により通信異常を表示しないので、ピークカット電源からの電力供給が停止しているときに、ユーザーが誤って通信異常と認識することがない。
【００４６】
また、一実施形態の貯湯式熱源装置によれば、ピークカット電源から電力供給線に出力されたピークカット中であることを表す信号を受けて、ピークカット電源供給検出部がピークカット電源からの電力供給が停止したことを検出することによって、ピークカット電源からの電圧を監視する回路を別に設ける必要がなく、簡単な構成でピークカット電源の供給停止を検出することができる。
【００４７】
また、一実施形態の貯湯式熱源装置によれば、ピークカット電源供給検出部がピークカット電源からの電力供給が停止したことを検出したとき、室内側制御部は、商用電源からの電力により循環ポンプを駆動させて、貯湯部に貯えられた温水を沸き上げ部を介して循環させることによって、外気温度が氷点下であっても、貯湯部と沸き上げ部との間の循環経路の凍結を防止することができる。
【００４８】
また、一実施形態の貯湯式熱源装置によれば、ピークカット電源供給検出部によりピークカット電源からの電力供給が停止したことが検出されたピークカット中に、室内側制御部により循環ポンプを断続的に運転することによって、貯湯部と沸き上げ部との間の循環経路の凍結を防止しつつ、温水が低温の外気温度によって冷却されるのを極力防止することができ、かつ、電力消費も少なくすることができる。
【００４９】
また、一実施形態の貯湯式熱源装置によれば、ピークカット電源からの電力供給が停止することにより沸き上げ部が停止して、室内側利用部が商用電源からの電力により動作するときに、優先順位設定部により設定された優先順位に基づいて、室内側の暖房または室内側の給湯の一方の運転を優先して行うことにより、ユーザーが希望する運転を優先して行うことができ、利便性が向上する。
【発明を実施するための最良の形態】
【００５０】
以下、この発明の貯湯式熱源装置を図示の実施の形態により詳細に説明する。
【００５１】
〔第１実施形態〕
図１はこの発明の第１実施形態の貯湯式熱源装置の一例としての貯湯式暖房給湯機の構成図を示している。この貯湯式暖房給湯機は、図１に示すように、沸き上げ部１と、貯湯部２と、暖房器４と給湯器５に温水を供給する室内側利用部の一例としての暖房給湯部３とを備えている。図１において、点線で囲まれる部分は、水回路を示している。
【００５２】
上記沸き上げ部１は、ピークカット電源１０から電力が供給される加熱部１１と、上記加熱部１１を制御する沸き上げ制御部１２と、上記ピークカット電源１０からの三相交流電圧を受けて、上記沸き上げ制御部１２に供給する制御用電源電圧を生成する制御電源生成部１３と、各種の温度を検出する温度センサ１４(図２に示すＴ１〜Ｔ５)とを有している。上記沸き上げ制御部１２は、マイクロコンピュータと入出力回路などからなる。上記ピークカット電源１０からの電力供給は、電力負荷低減などを目的として電力供給側の都合により停止する。
【００５３】
また、上記暖房給湯部３は、商用電源３０から電力が供給される暖房用アクチュエータ３１と、商用電源３０から電力が供給される給湯用アクチュエータ３２と、上記暖房用アクチュエータ３１と給湯用アクチュエータ３２を制御する室内側制御部の一例としての暖房給湯制御部３３と、上記商用電源３０からの単相交流電圧を受けて、暖房給湯制御部３３に供給する制御用電源電圧を生成する制御電源生成部３４と、上記暖房給湯制御部３３と沸き上げ制御部１２(沸き上げ部１側)との間の通信異常を検出する通信異常検出部３５とを有している。上記商用電源３０は、ピークカット電源１０とは異なり、ピークカット電源１０からの電力供給が停止していても、通常は暖房給湯部３に電力供給が継続されるものである。上記暖房給湯制御部３３は、マイクロコンピュータや入出力回路などからなり、暖房運転と給湯運転に対して優先順位を設定する優先順位設定部３３aと、ピークカット電源１０からの電力供給が停止したときに電熱ヒータ２０３(図２に示す)による加熱を行うか否かを設定する電熱ヒータ設定部３３bとを有している。
【００５４】
上記通信異常検出部３５は、暖房給湯制御部３３と沸き上げ制御部１２との間に接続された通信線３８の信号を監視して、通信異常時に暖房給湯制御部３３に通信異常を表す信号を出力する。
【００５５】
また、この貯湯式暖房給湯機は、暖房給湯制御部３３により制御される通信異常表示部およびピークカット電源状況表示部の一例としての表示部３６を備えている。この表示部３６は、ユーザーが視認しやすい室内に設置しているが、暖房給湯部３側に配置してもよい。
【００５６】
次に、図２は上記貯湯式暖房給湯機の具体的構成を示す回路図を示している。図２に示すように、沸き上げ部１は、加熱部１１の一例としてのヒートポンプユニットを有している。このヒートポンプユニットには、地球温暖化係数が小さくオゾンを破壊しないＣＯ２冷媒を用いている。これにより、ヒートポンプユニットによる出湯温度を高くできる(例えば９０℃)。
【００５７】
上記ヒートポンプユニットは、圧縮機１０１と、上記圧縮機１０１の吐出側に一端(一次側)が接続された凝縮器１０２と、上記凝縮器１０２の他端(一次側)に一端が接続された膨張弁１０３と、上記膨張弁１０３の他端に一端が接続され、他端が圧縮機１０１の吸込側に接続された蒸発器１０４と、上記蒸発器１０４に外気を供給する送風ファン１０５とを有している。上記圧縮機１０１と凝縮器１０２と膨張弁１０３および蒸発器１０４で冷媒回路を構成している。
【００５８】
また、上記圧縮機１０１の吐出側に、吐出温度を検出する吐出温度センサＴ１を配置すると共に、吐出圧力を検出する圧力センサ(HPS)１０６を配置している。また、上記蒸発器１０４に蒸発器温度を検出する蒸発器温度センサＴ２を配置し、蒸発器１０４近傍に、外気温度を検出する外気温度センサＴ３を配置している。そして、上記吐出温度センサＴ１と蒸発器温度センサＴ２と外気温度センサＴ３および圧力センサ(HPS)１０６の検出信号に基づいて、沸き上げ制御部１２は、圧縮機１０１,膨張弁１０３, 送風ファン１０５などを制御する。
【００５９】
また、上記貯湯タンク２０１の下部に設けられた沸き上げ往き接続口に配管Ｌ１１の一端を接続し、その配管Ｌ１１の他端を凝縮器１０２の一端(二次側)に接続している。上記配管Ｌ１１に、貯湯タンク２０１下部から凝縮器１０２側に向かって水を送出する沸き上げ用循環ポンプ２０４を配設している。上記沸き上げ部１の凝縮器１０２の他端(二次側)に配管Ｌ１２の一端を接続し、その配管Ｌ１２の他端を沸き上げ用三方弁２０５の入力側に接続している。上記沸き上げ用三方弁２０５の一方の出力側に配管Ｌ２４の一端を接続し、その配管Ｌ２４の他端を暖房用三方弁３０２の一方の入力側に接続している。さらに、上記暖房用三方弁３０２の一方の入力側を配管Ｌ３５を介して貯湯タンク２０１の上部に設けられた第２暖房往き接続口(沸き上げ戻り接続口を兼ねる)に接続している。一方、沸き上げ用三方弁２０５の他方の出力側に配管Ｌ２３の一端を接続し、その配管Ｌ２３の他端を貯湯タンク２０１の下側に接続している。
【００６０】
上記凝縮器１０２の二次側上流の配管Ｌ１１に、入水温度を検出する入水温度センサＴ４を配置し、凝縮器１０２の二次側下流の配管Ｌ１２に、出湯温度を検出する出湯温度センサＴ５を配置している。
【００６１】
また、上記貯湯タンク２０１は、断熱材(図示せず)で囲まれた略円筒形状をしている。上記貯湯タンク２０１内に、コイル状のパイプからなる給湯用熱交換器２０２を配置している。この給湯用熱交換器２０２は、所定の間隔をあけて接続された下側コイル部２０２aと上側コイル部２０２bとを有している。上記貯湯タンク２０１の上部を貫通した給水配管Ｌ２１の下端を、下側コイル部２０２aの下端に接続し、貯湯タンク２０１の上部を貫通した給湯配管Ｌ２２の下端を、上側コイル部２０２bの上端と接続している。上記給水配管Ｌ２１と給湯配管Ｌ２２は、貯湯タンク２０１の外側で、給湯用アクチュエータ３２(図１に示す)の一例としての給湯用混合弁３０１により接続されている。
【００６２】
上記給水配管Ｌ２１を介して外部から供給された水は、下側コイル部２０２aの下端側から上側コイル部２０２bの上端側に向かって流れて、給湯配管Ｌ２２を介して給湯器５(図１に示す)に供給される。
【００６３】
また、上記貯湯タンク２０１は、側面に４つの温度センサＴ６〜Ｔ９を上側から下側に向かって順に配置している。上記温度センサＴ６により貯湯タンク２０１内の上側部分の水温を検出し、温度センサＴ７により貯湯タンク２０１内の中間部分の水温を検出する。上記温度センサＴ９により貯湯タンク２０１内の下側近傍の水温を検出し、温度センサＴ７と温度センサＴ９の中間で温度センサＴ８により貯湯タンク２０１内の水温を検出する。
【００６４】
また、上記貯湯タンク２０１内かつ下側コイル部２０２aと上側コイル部２０２bとの間に電熱ヒータ２０３を配置している。
【００６５】
上記貯湯タンク２０１と給湯用熱交換器２０２と電熱ヒータ２０３と沸き上げ用循環ポンプ２０４と沸き上げ用三方弁２０５および温度センサＴ６〜Ｔ９で貯湯部２(図１に示す)を構成している。
【００６６】
次に、上記暖房用三方弁３０２の他方の入力側に配管Ｌ３１の一端を接続し、その配管Ｌ３１の他端を貯湯タンク２０１の第１暖房往き接続口(上側コイル部２０２bと電熱ヒータ２０３との間の位置)に接続している。そして、上記暖房用三方弁３０２の出力側を暖房用混合弁３０３の一方の入力側に接続し、その暖房用混合弁３０３の出力側に配管Ｌ３２の一端を接続している。上記配管Ｌ３２に、暖房用混合弁３０３側から順に暖房往き温度センサＴ１１と暖房用循環ポンプ３０４を配設している。上記配管Ｌ３２の暖房用循環ポンプ３０４よりも下流側に、ラジエータ４０１,４０２,…の一端を夫々接続している。また、上記貯湯タンク２０１の下部に設けられた暖房戻り接続口に配管Ｌ３３の一端を接続し、その配管Ｌ３３の他端側にラジエータ４０１,４０２,…の他端を夫々接続している。上記配管Ｌ３３に暖房戻り温度センサＴ１２を配置している。また、上記配管Ｌ３３の暖房戻り温度センサＴ１２よりも貯湯タンク２０１側と、暖房用混合弁３０３の他方の入力側とを配管Ｌ３４により接続している。
【００６７】
上記暖房給湯制御部３３は、温度センサＴ６〜Ｔ９と暖房往き温度センサＴ１１および暖房戻り温度センサＴ１２からの検出信号に基づいて、沸き上げ用三方弁２０５と暖房用三方弁３０２と沸き上げ用循環ポンプ２０４と暖房用循環ポンプ３０４を制御する。
【００６８】
上記暖房往き温度センサＴ１１と暖房戻り温度センサＴ１２と給湯用混合弁３０１と暖房用三方弁３０２と暖房用循環ポンプ３０４および暖房給湯制御部３３が、商用電源３０により駆動される暖房給湯部３(図１に示す)に含まれる。
【００６９】
上記構成の貯湯式暖房給湯機において、ピークカット電源１０と商用電源３０の両方から電力が供給されている状態で、貯湯タンク２０１の下部の給水口(図示せず)から給水して貯湯タンク２０１内に水を溜める。次に、貯湯部２の沸き上げ用三方弁２０５の出力側を配管Ｌ２４側に切り換え、沸き上げ部１の圧縮機１０１を駆動すると共に送風ファン１０５の運転を開始する。さらに、貯湯部２の沸き上げ用循環ポンプ２０４を駆動する。そうすると、圧縮機１０１から吐出された高圧ガス冷媒は、凝縮器１０２で放熱して凝縮することにより液冷媒となった後、膨張弁１０３で減圧された低圧冷媒は、蒸発器１０４で外気から熱を吸収して蒸発する。そうして、蒸発器１０４で蒸発した低圧ガス冷媒は、圧縮機１０１の吸込側に戻る。このとき、沸き上げ用循環ポンプ２０４により貯湯タンク２０１の下部から配管Ｌ１１を介して凝縮器１０２の二次側に流入した水は、凝縮器１０２で加熱されて９０℃近い温水となり、配管Ｌ１２,沸き上げ用三方弁２０５,配管Ｌ２４,配管Ｌ３５を介して貯湯タンク２０１内に戻る。こうして、貯湯タンク２０１内の水を沸き上げ用循環ポンプ２０４と凝縮器１０２を介して循環させることにより、貯湯タンク２０１内の水を沸き上げる。
【００７０】
次に、暖房運転を行う場合、暖房給湯部３の暖房用三方弁３０２を、配管Ｌ３１側と暖房用混合弁３０３側が接続されるように切り換えて、暖房用循環ポンプ３０４を駆動する。そうすると、貯湯タンク２０１の中間部の温水が配管Ｌ３１,暖房用三方弁３０２,暖房用混合弁３０３,暖房用循環ポンプ３０４を介してラジエータ４０１,４０２,…に夫々流入する。そして、上記ラジエータ４０１,４０２,…から出た戻り温水は、配管Ｌ３３を介して貯湯タンク２０１の下部から貯湯タンク２０１内に戻る。
【００７１】
ここで、暖房給湯制御部３３は、暖房往き温度センサＴ１１により検出された暖房往き温度および暖房戻り温度センサＴ１２により検出された暖房戻り温度に基づいて、暖房用三方弁３０２,暖房用混合弁３０３および暖房用循環ポンプ３０４を制御する。また、ヒートポンプユニットによる沸き上げと暖房運転を同時に行ってもよい。
【００７２】
次に、給湯運転を行う場合、給湯器５の給湯用蛇口を開くと、外部からの給水圧力により供給された水は、給水配管Ｌ２１,給湯用熱交換器２０２,給湯配管Ｌ２２を介して給湯器５に流れて、給湯用熱交換器２０２で加熱された温水が給湯器５に供給される。ここで、暖房給湯制御部３３は、給湯用混合弁３０１を制御して、給湯器５に供給される温水の温度を所望の温度に調節する。なお、上記暖房運転またはヒートポンプユニットによる沸き上げの少なくとも一方と給湯運転を同時に行ってもよい。
【００７３】
次に、図３に示すフローチャートに従って暖房給湯制御部３３の動作を説明する。
【００７４】
まず、処理がスタートすると、ステップＳ１で暖房／給湯の要求があるか否かを判断して、暖房／給湯の要求があるときは、ステップＳ２に進む。ここで、「暖房／給湯の要求」とは暖房または給湯のいずれか一方でもよいし、暖房と給湯の両方が要求されていてもよい。
【００７５】
次に、ステップＳ２で通信異常検出部３５からの信号に基づいて通信異常か否かを判断する。そして、ステップＳ２で通信異常であると判断すると、ステップＳ３に進む一方、通信異常でないと判断すると、ステップＳ３,Ｓ４をスキップしてステップＳ５に進む。
【００７６】
次に、ステップＳ３で通信異常が確定し、ステップＳ４に進んで、表示部３６に「通信異常」を表示する。ここで、「通信異常」の表示は、文字表示だけに限らず、通信異常であることが分かる記号や絵文字などでもよい。
【００７７】
次に、ステップＳ５に進み、暖房／給湯動作を実行して、この処理を終了する。
【００７８】
一方、ステップＳ１で一方、暖房／給湯の要求がないときは、ステップＳ６に進み、暖房／給湯動作を実行して、この処理を終了する。ここで、「暖房／給湯動作を実行」とは、要求された暖房または給湯のうちの一方でもよいし、両方でもよい。
【００７９】
このように、上記構成の貯湯式暖房給湯機によれば、電力供給側の都合によりピークカット電源１０からの電力供給が停止しても、簡単な構成で貯湯タンク２０１に貯えられた温水を熱源として利用することにより暖房運転や給湯運転を継続することができる。
【００８０】
また、上記暖房給湯部３に暖房用アクチュエータ３１を備えることによって、貯湯タンク２０１の熱源を利用した暖房動作を容易に制御できると共に、暖房給湯部３に給湯用アクチュエータ３２を備えることによって、貯湯タンク２０１の熱源を利用した給湯動作を容易に制御できる。
【００８１】
また、上記沸き上げ部１の加熱部１１に効率のよいヒートポンプユニットを用いることによって、消費電力を低減することができる。
【００８２】
また、上記沸き上げ部１の加熱部１１にヒートポンプユニットと併用する電熱ヒータを補助として用いることによって、外気が低温のためにヒートポンプユニットの能力が十分に発揮できないときに加熱能力を上げたり、加熱部１１による沸き上げ温度を高くしたりできる。
【００８３】
また、上記沸き上げ部１の加熱部１１とは別に電熱ヒータ２０３を備え、その電熱ヒータ２０３を商用電源３０により駆動して水を加熱することにより、電力供給側の都合によりピークカット電源１０からの電力供給が停止しても、暖房運転や給湯運転をより長く継続することができる。この第１実施形態では、貯湯タンク２１内に電熱ヒータ２０３を配置したが、電熱ヒータ２０３は沸き上げ部１側に配置してもよい。
【００８４】
また、上記ピークカット電源１０からの電力供給が停止したときに、電熱ヒータ設定部３３bの設定に基づいて電熱ヒータ２０３の加熱制御を行うことにより、ユーザーの選択肢が増えて、使い勝手が向上する。
【００８５】
また、上記通信異常検出部３５による沸き上げ制御部１２と暖房給湯制御部３３との間の通信異常検出を、ピークカット電源１０からの電力供給の停止検出に利用することにより、ピークカット電源１０の供給停止を検出する手段を別に設ける必要がなく、コストを低減することができる。
【００８６】
また、上記ピークカット電源１０からの電力供給が停止することにより沸き上げ部１が停止して、暖房給湯制御部３３が商用電源３０からの電力により動作するときに、優先順位設定部３３aにより設定された優先順位に基づいて、室内側の暖房または室内側の給湯の一方の運転を優先して行うことにより、ユーザーが希望する運転を優先して行うことができ、利便性が向上する。
【００８７】
上記第１実施形態では、沸き上げ部１の加熱部１１にヒートポンプユニットを用いたが、沸き上げ部の加熱部に電熱ヒータを用いてもよい。この場合、電熱ヒータへの投入電力により加熱能力を的確に制御することができる。
【００８８】
また、上記第１実施形態の温度センサＴ１〜Ｔ９,Ｔ１１,Ｔ１２は、サーミスタで構成したが、熱電対等の他の素子を用いてもよい。
【００８９】
また、上記第１実施形態では、ピークカット電源を三相交流電源とし、商用電源を単相交流電源としたが、ピークカット電源は単相交流電源であってもよく、また、商用電源は三相交流電源であってもよい。
【００９０】
〔第２実施形態〕
図４はこの発明の第２実施形態の貯湯式熱源装置の一例として貯湯式暖房給湯機の暖房給湯制御部の動作を説明するフローチャートを示している。この第２実施形態の貯湯式暖房給湯機は、ピークカット電源供給検出部と暖房給湯制御部の動作を除いて第１実施形態の貯湯式暖房給湯機と同一の構成をしており、図１,図２を援用する。
【００９１】
この第２実施形態の貯湯式暖房給湯機は、図１に示すように、ピークカット電源１０からの電力供給が停止したことを検出するピークカット電源供給検出部３７を備えている。
【００９２】
次に、図４に示すフローチャートに従って暖房給湯制御部３３の動作を説明する。
【００９３】
まず、処理がスタートすると、ステップＳ１１で暖房／給湯の要求があると判断すると、ステップＳ１２に進む。
【００９４】
次に、ステップＳ１２でピークカット電源供給検出部３７からの信号に基づいてピークカット電源供給中であるか否かを判断する。そして、ステップＳ１２でピークカット電源供給中であると判断すると、ステップＳ１３に進む一方、ピークカット電源１０が停止中であると判断すると、ステップＳ１６に進む。
【００９５】
次に、ステップＳ１３で通信異常検出部３５からの信号に基づいて通信異常か否かを判断する。そして、ステップＳ１３で通信異常であると判断すると、ステップＳ１４に進む一方、通信異常でないと判断すると、ステップＳ１７に進む。
【００９６】
次に、ステップＳ１４で通信異常が確定し、ステップＳ１５に進んで、表示部３６に「通信異常」を表示して、この処理を終了する。ここで、「通信異常」の表示は、文字表示だけに限らず、通信異常であることが分かる記号や絵文字などでもよい。
【００９７】
一方、ステップＳ１６では、表示部３６に「ピークカット中」を表示した後、ステップＳ１７に進み、暖房／給湯動作を実行して、この処理を終了する。ここで、「ピークカット中」の表示は、文字表示だけに限らず、ピークカット中であることが分かる記号や絵文字などでもよい。
【００９８】
また、ステップＳ１１で暖房／給湯の要求がないと判断すると、ステップＳ１８に進み、暖房／給湯動作を停止して、この処理を終了する。
【００９９】
さらに、図５は上記暖房給湯制御部の通信異常を含む異常検出処理の動作を説明するフローチャートを示している。
【０１００】
この異常検出処理がスタートすると、ステップＳ２１でピークカット電源供給検出部３７からの信号に基づいてピークカット電源供給中であるか否かを判断する。そして、ステップＳ２１でピークカット電源供給中であると判断すると、ステップＳ２２に進む一方、ピークカット電源１０が停止中であると判断すると、ステップＳ２２をスキップしてステップＳ２３に進む。
【０１０１】
次に、ステップＳ２２では、通信異常検出部３５からの信号に基づく通信異常検出処理を実行する。
【０１０２】
次に、ステップＳ２３に進み、他の異常検出処理を実行して、この処理を終了する。
【０１０３】
上記第２実施形態の貯湯式暖房給湯器は、通信異常検出の処理を除いて第１実施形態の貯湯式暖房給湯器と同様の効果を有する。
【０１０４】
また、上記ピークカット電源供給検出部３７がピークカット電源１０からの電力供給が停止したことを検出したとき、暖房給湯制御部３３は、沸き上げ部１が停止状態であるものとして暖房給湯部３の運転を継続することによって、ピークカット電源１０の供給停止を確実に検出して、暖房給湯部３のみの運転モードに移行することができる。
【０１０５】
また、上記ピークカット電源供給検出部３７がピークカット電源１０から電力が供給中であることを検出し、かつ、通信異常検出部３５が沸き上げ制御部１２と暖房給湯制御部３３との間の通信異常を検出したとき、暖房給湯制御部３３が通信異常と判断することによって、ピークカット電源１０からの電力供給が停止しているときは通信異常と判断しないので、暖房給湯制御部３３が通信異常の判断をより確実に行うことができる。
【０１０６】
また、上記表示部３６により、ピークカット電源供給検出部３７により検出されたピークカット電源１０からの電力供給の状況を表示することによって、ユーザーは、ピークカット電源１０からの電力供給の状況を容易に把握できる。また、上記ピークカット電源供給検出部３７がピークカット電源１０からの電力供給が停止したことを検出し、かつ、通信異常検出部３５が沸き上げ制御部１２と暖房給湯制御部３３との間の通信異常を検出したときは、表示部３６により通信異常を表示しないので、ピークカット電源１０からの電力供給が停止しているときに、ユーザーが誤って通信異常と認識することがない。
【０１０７】
また、上記ピークカット電源１０から電力供給線に出力されたピークカット中であることを表す信号を受けて、ピークカット電源供給検出部３７がピークカット電源１０からの電力供給が停止したことを検出することによって、ピークカット電源１０からの電圧を監視する回路を別に設ける必要がなく、簡単な構成でピークカット電源１０の供給停止を検出することができる。
【０１０８】
また、従来の沸き上げ部は、屋外などの居住空間外に設置されることが多いため、外気温度や入水温度などを検出し、所定温度よりも低い場合には、沸き上げ用循環ポンプ２０４を駆動させて、循環経路の凍結を防止している。これに対して本実施形態では、ピークカット電源供給検出部３７がピークカット電源１０からの電力供給が停止したことを検出したとき、暖房給湯制御部３３は、商用電源からの電力により沸き上げ用循環ポンプ２０４を駆動させて、貯湯タンク２０１に貯えられた温水を沸き上げ部１を介して循環させることによって、沸き上げ部１への電力供給が停止した状態で外気温度が氷点下であっても、貯湯タンク２０１と沸き上げ部１との間の循環経路の凍結を防止することができる。このとき、貯湯タンク２０１内の温水が低温の外気温度によって冷却されるのを極力防止するため、例えば、凍結しない程度の所定時間毎に沸き上げ用循環ポンプ２０４を駆動させて断続的に循環される方法や、少ない流量を連続的に循環させる方法が有効である。これらの方法は同時に、ポンプ駆動に起因する電力消費量を極力少なくすることができる。
【０１０９】
〔第３実施形態〕
図６はこの発明の第３実施形態の貯湯式熱源装置の一例として貯湯式暖房給湯機の暖房給湯制御部の動作を説明するフローチャートを示している。この第３実施形態の貯湯式暖房給湯機は、暖房給湯制御部の動作を除いて第１実施形態の貯湯式暖房給湯機と同一の構成をしており、図１,図２を援用する。
【０１１０】
この第３実施形態の貯湯式暖房給湯機は、図１に示すように、ピークカット電源１０からの電力供給が停止したことを検出するピークカット電源供給検出部３７を備えている。
【０１１１】
次に、図６に示すフローチャートに従って暖房給湯制御部の動作を説明する。
【０１１２】
まず、処理がスタートすると、ステップＳ３１で暖房／給湯の要求があると判断すると、ステップＳ３２に進む。
【０１１３】
次に、ステップＳ３２でピークカット電源供給検出部３７からの信号に基づいてピークカット電源供給中であるか否かを判断する。そして、ステップＳ３２でピークカット電源供給中であると判断すると、ステップＳ３３に進む。
【０１１４】
次に、ステップＳ３３で暖房給湯部３が電源投入後の初回動作であると判断すると、ステップＳ３４に進む。
【０１１５】
そして、ステップＳ３４では、暖房給湯制御部３３と沸き上げ制御部１２との間で通信を開始する。
【０１１６】
次に、ステップＳ３５で通信可能であると判断すると、ステップＳ４２に進む一方、通信不可と判断すると、ステップＳ３６に進む。
【０１１７】
そして、ステップＳ３６で組合せ異常が確定し、ステップＳ３７に進んで、表示部３６に「組合せ異常」を表示して、この処理を終了する。ここで、「組合せ異常」とは、暖房給湯制御部３３と沸き上げ制御部１２との間で通信ができず、沸き上げ部１と暖房給湯部３の協調運転ができないことを言う。なお、「組合せ異常」の表示は、通信ができないことが分かればよいので、この表現に限定する必要はなく、例えば「通信開始不良」などの表示でもよく、通信ができないことが分かる記号や絵文字などでもよい。
【０１１８】
一方、ステップＳ３２でピークカット電源１０が停止中であると判断すると、ステップＳ５１に進み、表示部３６に「ピークカット中」を表示する。
【０１１９】
次に、ステップＳ５２に進み、暖房給湯部３が電源投入後の初回動作であると判断すると、ステップＳ５４に進み、初期化動作を行った後、ステップＳ５３に進む。
【０１２０】
一方、ステップＳ５２で暖房給湯部３が電源投入後の初回動作でないと判断すると、ステップＳ５３に進み、暖房／給湯動作を実行して、この処理を終了する。
【０１２１】
また、ステップＳ３３で、暖房給湯部３が電源投入後の初回動作でないと判断すると、ステップＳ４１に進み、通信異常検出部３５からの信号に基づいて通信異常か否かを判断する。
【０１２２】
そして、ステップＳ４１で通信異常であると判断すると、ステップＳ４３に進んで、通信異常が確定し、ステップＳ４４に進む。ステップＳ４４で表示部３６に「ピークカット中」を表示して、この処理を終了する。
【０１２３】
一方、ステップＳ４１で通信異常でないと判断すると、ステップＳ５３に進む。
【０１２４】
なお、ステップＳ３１で暖房／給湯の要求がないと判断すると、ステップＳ５５に進み、暖房／給湯動作を停止して、この処理を終了する。
【０１２５】
このように、上記暖房給湯部３の電源投入時にピークカット電源１０からの電力供給が停止しているとき、暖房給湯制御部３３は、暖房給湯部３の運転を開始して、その後にピークカット電源１０からの電力が供給されたら、暖房給湯部３は、沸き上げ制御部１２と通信を行って、沸き上げ部１側の状態に応じた運転を行うことができる。
【０１２６】
また、上記第３実施形態の貯湯式暖房給湯器は、第２実施形態の貯湯式暖房給湯器と同様の効果を有する。
【０１２７】
上記第１〜第３実施形態では、貯湯式熱源装置としての貯湯式暖房給湯機について説明したが、貯湯式の暖房機または給湯器にこの発明の貯湯式熱源装置を適用してもよい。
【０１２８】
なお、上記第２,第３実施形態において、ピークカット電源１０から電力供給線に出力されたピークカット中であることを表す信号は、実際にピークカットが行なわれる時間よりもいくらか長い信号となっていてもよい。すなわち、ピークカット電源の電力供給が停止する場合には、ピークカット電源からの電力が遮断される前からピークカット中であることを表す信号がピークカット電源から出力され、ピークカット電源からの電力が復帰した後でピークカット中であることを表す信号が出力されなくなってもよい。これにより、ピークカット電源からの電力が遮断される前から沸き上げ部を停止状態とみなすことができる。また、ピークカット電源からの電力が確実に復帰して沸き上げ制御部が動作した状態から通信を開始することができるため、通信異常が検出される可能性が全くなくなり、信頼性が向上する。
【図面の簡単な説明】
【０１２９】
【図１】図１はこの発明の第１実施形態の貯湯式熱源装置の一例として貯湯式暖房給湯機の構成図である。
【図２】図２は上記貯湯式暖房給湯機の具体的構成を示す回路図である。
【図３】図３は上記貯湯式暖房給湯機の暖房給湯制御部の動作を説明するフローチャートである。
【図４】図４はこの発明の第２実施形態の貯湯式熱源装置の一例として貯湯式暖房給湯機の暖房給湯制御部の動作を説明するフローチャートである。
【図５】図５は上記暖房給湯制御部の動作を説明するフローチャートである。
【図６】図６はこの発明の第３実施形態の貯湯式熱源装置の一例として貯湯式暖房給湯機の暖房給湯制御部の動作を説明するフローチャートである。
【符号の説明】
【０１３０】
１…沸き上げ部
２…貯湯部
３…暖房給湯部
４…暖房器
５…給湯器
１０…ピークカット電源
１１…加熱部
１２…沸き上げ制御部
１３…制御電源生成部
１４…温度センサ
３０…商用電源
３１…暖房用アクチュエータ
３２…給湯用アクチュエータ
３３…暖房給湯制御部
３３a…優先順位設定部
３３b…電熱ヒータ設定部
３４…制御電源生成部
３５…通信異常検出部
３６…表示部
３７…ピークカット電源供給検出部
３８…通信線
１０１…圧縮機
１０２…凝縮器
１０３…膨張弁
１０４…蒸発器
１０５…送風ファン
１０６…圧力センサ
２０１…貯湯タンク
２０２…給湯用熱交換器
２０２a…下側コイル部
２０２b…上側コイル部
２０３…電熱ヒータ
２０４…沸き上げ用循環ポンプ
２０５…沸き上げ用三方弁
３０１…給湯用混合弁
３０２…暖房用三方弁
３０３…暖房用混合弁
３０４…暖房用循環ポンプ
４０１,４０２…ラジエータ
Ｔ１…吐出温度センサ
Ｔ２…蒸発器温度センサ
Ｔ３…外気温度センサ
Ｔ４…入水温度センサ
Ｔ５…出湯温度センサ
Ｔ６〜Ｔ９…温度センサ
Ｔ１１…暖房往き温度センサ
Ｔ１２…暖房戻り温度センサ
【図１】
0005321072.tif 000002
【図２】
0005321072.tif 000003
【図３】
0005321072.tif 000004
【図４】
0005321072.tif 000005
【図５】
0005321072.tif 000006
【図６】
0005321072.tif 000007